(57)【要約】  【課題】  制御用ボックスごとＲＯＭが不正交換されていないかを、遊技機本体を開閉しなくても確認することができる遊技機を提供する。  【解決手段】  このパチンコ機１は、制御用ボックス５に備えられたトランスポンダ７２が、パチンコ機本体３の表側面に対して垂直に配置された副基板７０上に設置され、無線通信経路９上に金属板が配置されない構造を有している。そのため、パチンコ機１の表側から、パチンコ機１の背面側に取り付けられた制御用ボックス５のトランスポンダ７２と通信することができる。従って、このパチンコ機１を用いると、制御用ボックスごとＲＯＭが不正交換されていないかを、遊技機本体を開閉しなくても確認することができる。【選択図】図３
2008132017.tif 000002
【特許請求の範囲】
【請求項１】
ＲＯＭに記憶された制御用プログラムに基づいて制御される遊技機において、
島に対して開閉可能に取り付けられる遊技機本体と、
識別情報が記憶されたＩＣタグと、
前記ＲＯＭが取り付けられた主基板と、
前記ＩＣタグ及び前記主基板を収納し、前記遊技機本体の背面に取り付けられる制御用ボックスと、
を備え、
前記遊技機本体の表側から、前記遊技機本体を通り、且つ、前記制御用ボックスに収納された前記主基板を通らずに、前記ＩＣタグに至る無線通信経路を有することを特徴とする遊技機。
【請求項２】
請求項１に記載の遊技機において、
前記制御用ボックスは、少なくとも一部が透明部材で構成され、
前記ＩＣタグは、前記遊技機本体を前記島に対して開けたとき、前記制御用ボックスの外側から、前記透明部材を通して視認可能であることを特徴とする遊技機。
【請求項３】
請求項１又は２記載の遊技機において、
前記制御用ボックスは、前記遊技機本体の表側面と略直交する副基板を収容し、
前記ＩＣタグは、前記副基板における一方の面に取り付けられるとともに、前記主基板は、前記副基板から見て前記一方の側とは反対側に配置されることを特徴とする遊技機。
【請求項４】
請求項３に記載の遊技機において、
前記主基板と前記副基板とは、略Ｌ字状に配置されることを特徴とする遊技機。
【請求項５】
請求項１〜４のいずれかに記載の遊技機において、
前記制御用ボックスは、前記ＩＣタグが送受信する電波の周波数に比べ高い周波数の電波を遮断することを特徴とする遊技機。
【請求項６】
請求項５に記載の遊技機において、
前記制御用ボックスは、前記ＩＣタグが送受信する電波の周波数に比べ高い周波数の電波を遮蔽する遮蔽層を有することを特徴とする遊技機。
【請求項７】
請求項１〜６のいずれかに記載された遊技機において、
前記遊技機本体は、
前記無線通信経路と前記遊技機本体の表側面との交点に、マークを有することを特徴とする遊技機。
【請求項８】
請求項７に記載された遊技機において、
前記遊技機本体はセル板を備え、
前記マークは前記セル板に設けられていることを特徴とする遊技機。
【請求項９】
請求項７に記載された遊技機において、
前記遊技機は前面枠を備え、
前記マークは前記前面枠に設けられていることを特徴とする遊技機。
【請求項１０】
請求項１〜９のいずれかに記載された遊技機において、
前記遊技機本体は、
前記無線通信経路上に位置する部分が透明部材で形成されていることを特徴とする遊技機。
【請求項１１】
請求項１〜１０のいずれかに記載された遊技機において、
前記遊技機本体は金属部材を備え、
前記無線通信経路は、前記金属部材を通らないことを特徴とする遊技機。
【請求項１２】
請求項１１に記載された遊技機において、
前記金属部材のうち、前記無線通信経路上に位置する部分に、孔が形成されていることを特徴とする遊技機。
【請求項１３】
請求項１〜１２のいずれかに記載された遊技機において、
前記遊技機本体は、前記遊技機本体具備基板を備え、
前記無線通信経路は、前記遊技機本体具備基板を通らないことを特徴とする遊技機。
【発明の詳細な説明】
【技術分野】
【０００１】
本発明は、ＲＯＭに記憶された制御用のプログラムに基づいて制御される遊技機に関する。
【背景技術】
【０００２】
遊技機は、制御用のプログラムを記憶したＲＯＭと、このＲＯＭが取り付けられる主基板と、ＩＰアドレスその他の個別の識別情報が記憶されたＩＣタグと、この主基板及びＩＣタグを収納し、遊技機本体の背面側に取り付けられる透明な制御用ボックスとを備えている（特許文献１）。そして、制御用ボックスの中で、主基板は、ＲＯＭが背面側（遊技機本体を島に対して開けて遊技機本体の背面を見たときに見える側をここでは指している。）を向くように配置されている。そのため、遊技機本体を島に対して開け、遊技機本体を背面側から見ると、ＲＯＭを視認できる。
【０００３】
このように構成された遊技機では、遊技機本体を開ければＲＯＭを見ることができるので、ＲＯＭの不正交換の有無を目で確認することができる。さらにこの遊技機では、制御用ボックスごとＲＯＭが交換されても、異なるＩＣタグからは同じ識別情報を乗せた電波が発信されないので、この識別情報を確認することで、制御用ボックスごとＲＯＭが不正交換されたか否かがチェックできる。
【特許文献１】特開２００４−２４４４９号公報
【発明の開示】
【発明が解決しようとする課題】
【０００４】
ところで、従来の遊技機では、ＩＣタグは、ＲＯＭと同様に、主基板の背面側に配置されており、遊技機本体の表側から見たとき、ＩＣタグの手前側に主基板が位置していた。
そのため、ＩＣタグから発信される識別情報を乗せた電波を遊技機本体の表側から受信しようとしても、制御用ボックス内の主基板等が障害となって受信することができなかった。従って、ＩＣタグから発信される識別情報を乗せた電波を受信するには、遊技機本体を開く必要があった。
【０００５】
しかし、各遊技機の制御用ボックスのＩＣタグから識別情報を乗せた電波を受信するため、遊技場にあるすべての遊技機本体を開閉する作業は、たいへん手間がかかる作業であった。
【０００６】
そこで本発明では、ＲＯＭが不正交換されていないかを、遊技機本体を開閉しなくても確認することができる遊技機を提供することを目的とする。
【課題を解決するための手段】
【０００７】
上述した問題を解決するためになされた発明である請求項１に記載された遊技機は、ＲＯＭに記憶された制御用プログラムに基づいて制御される遊技機において、島に対して開閉可能に取り付けられる遊技機本体と、識別情報が記憶されたＩＣタグと、前記ＲＯＭが取り付けられた主基板と、前記ＩＣタグ及び前記主基板を収納し、前記遊技機本体の背面に取り付けられる制御用ボックスと、を備え、前記遊技機本体の表側から、前記遊技機本体を通り、且つ、前記制御用ボックスに収納された前記主基板を通らずに、前記ＩＣタグに至る無線通信経路を有することを特徴とする。
【０００８】
本発明の遊技機は、遊技機本体の表側から、遊技機本体を通り、且つ、制御用ボックスに収納された主基板を通らずに、ＩＣタグに至る無線通信経路を有している。そのため、本発明の遊技機では、遊技機本体の背面に取り付けられた制御用ボックス内のＩＣタグと、遊技機本体の表側から通信することができる。つまり、本発明の遊技機では、遊技機本体の背面に取り付けられた制御用ボックスのＩＣタグから発信された識別情報を乗せた電波を、遊技機本体を開けなくても、遊技機本体の表側で受信することができる。
【０００９】
従って、本発明の遊技機では、遊技機本体の背面側から発信された、識別情報を乗せた電波を遊技機本体の表側で受信できるので、ＲＯＭが不正交換されていないかを、遊技機本体を開けなくても確認することができる。
【００１０】
尚、遊技機本体の表側面とは、遊技機を使用している遊技者に対向する面であって、遊技機本体の釘その他の部品が取り付けた遊技面や、この遊技面を覆うガラスなどを示す。
次に、請求項２に記載したように、制御用ボックスは、少なくとも一部が透明部材で構成され、ＩＣタグは、遊技機本体を前記島に対して開けたとき、前記制御用ボックスの外側から、透明部材を通して視認可能であることが好ましい。
【００１１】
これによると、本発明の遊技機では、遊技機本体を開ければＩＣタグを目で直接確認することができ、また、ＩＣタグリーダをＩＣタグに向ければ、識別信号を乗せた電波をＩＣタグから直接受信することもできる。
【００１２】
従って、本発明の遊技機では、通信不良などで遊技機本体の表側で識別情報を乗せた電波を受信できなくても、遊技機本体を開ければ、ＩＣタグから識別情報を乗せた電波を直接受信でき、しかも、ＩＣタグを直接目で確認できる。そのため、本発明の遊技機では、通信の不具合のある場合でも、遊技機本体を開ければ、ＲＯＭが不正交換されていないかを、識別情報を乗せた電波を受信する方法、及び、目視する方法により、確認することができる。
【００１３】
尚、請求項３に記載したように、制御用ボックスは、遊技機本体の表側面と略直交する副基板を収容し、ＩＣタグは、副基板における一方の面に取り付けられるとともに、主基板は、副基板から見て一方の側とは反対側に配置されていることが好ましい。そして、請求項４に記載したように、主基板と副基板とは、略Ｌ字状に配置してもよい。
【００１４】
ところで、本発明の遊技機のように、遊技機の表側からＩＣタグと通信することができる遊技機では、携帯電話その他の高周波の電波が制御用ボックス内に侵入する恐れがある。
【００１５】
そこで、請求項５に記載の遊技機のように、請求項１〜４のいずれかに記載の遊技機において、制御用ボックスは、ＩＣタグが送受信する電波の周波数に比べ高い周波数の電波を遮断するものであることが好ましい。
【００１６】
このようにすれば、ＩＣタグとの通信に必要な電波は制御用ボックスを通過するが、携帯電話その他の高周波の電波は、制御用ボックス内に侵入しない。
従って、この請求項５に記載の遊技機では、例えば主基板上に制御用のチップが配置されていても、これらのチップが高周波による誤作動を起こすことを防止できる。
【００１７】
尚、具体的な構成としては、請求項６に記載したように、制御用ボックスは、ＩＣタグが送受信する電波の周波数に比べ高い周波数の電波を遮蔽する遮蔽層を有していることが好ましい。
【００１８】
また、本発明の遊技機は、無線通信経路を遊技機本体の表側から分かりやすく表示するため、請求項７に記載したように、無線通信経路と遊技機本体の表側面との交点に、マークを有することが好ましい。
【００１９】
このマークが設けられていれば、ＩＣタグと通信できる場所を探し回ることなく、識別情報を乗せた電波を、遊技機の表側で受信することができる。
マークが設けられる具体的な場所としては、無線通信経路が遊技域にある場合は、請求項８に記載したように、遊技機本体を構成するセル板にマークが設けられていることが好ましい。また、無線通信経路が前面枠を通る位置にある場合は、請求項９に記載したように、遊技機本体を構成する前面枠にマークが設けられていることが好ましい。
【００２０】
尚、請求項７〜９では、無線通信経路を遊技機の表側から分かりやすく表示するためマークを用いたが、請求項１０に示すように、無線通信経路上に位置する部分が透明部材で形成されていてもよい。このようにすれば、透明部材を介して遊技機本体の表側からＩＣタグのある位置を確認しつつ、識別情報を乗せた電波を遊技機本体の表側でＩＣタグから受信することができる。もちろんマークを併用してもよい。
【００２１】
ところで、遊技機本体が金属部材を備え、その金属部材が無線通信経路上にあると、金属部材に通信が妨害されて、制御用ボックス内のＩＣタグと、遊技機本体の表側から通信することができない場合がある。
【００２２】
そこで、請求項１１に記載したように、遊技機本体に金属部材が取り付けられている場合、無線通信経路は、金属部材を通らないことが好ましい。
また、本発明の遊技機の遊技機本体は、無線通信経路上に金属部材が配置されない形状であればよく、そのため、請求項１２に記載したように、金属部材は、金属部材のうち、無線通信経路上に位置する部分に、孔が形成されていてもよい。
【００２３】
さらに、遊技機本体内に設置された遊技機本体具備基板も通信の障害となるので、請求項１３に記載したように、無線通信経路は、遊技機本体具備基板を通らないことが好ましい。
【発明を実施するための最良の形態】
【００２４】
次に、本発明が適用された実施形態について説明する。
＜１．パチンコ機の全体構造＞
本実施形態のパチンコ機の全体構造について説明する。
【００２５】
ここで、図１は、パチンコ機のパチンコ機本体における遊技域部分の正面図、図２は、パチンコ機を島から開けた状態を示す平面図、図３は図１のＡ−Ａ’断面図（遊技盤上に配置された釘等の記載は省略している）、図４は図３の一点鎖線αで囲まれた部分の拡大図、図５は図３の一点鎖線βで囲まれた部分の拡大図である。
【００２６】
本実施形態のパチンコ機１は、図１に示すように、パチンコ機本体３の遊技域３ａに、釘３ａａその他の遊技部品が設置されているものである。このパチンコ機本体３は、図２に示すように、島７に対して開閉可能に取り付けられている。
＜２．制御用ボックス５＞
本実施形態では、図３に示すように、パチンコ機本体３は、遊技盤３４を備えるとともに、この遊技盤３４に平行に配置された背面板３６を備えている。パチンコ機１を制御するコンピュータを備える制御用ボックス５は、その背面板３６の背面側（パチンコ機１の外側）に取り付けられる。
【００２７】
制御用ボックス５は、透明な材料で形成され、その内部には、主基板６０と副基板７０とが収納されている。主基板６０と副基板７０とはＬ字状に構成されている。すなわち、主基板６０は、パチンコ機本体３の表側面と平行に配置され、副基板７０は、主基板６０の端部から、背面側に向けて、パチンコ機本体３の表側面と直交するように立設されている。
【００２８】
主基板６０には、パチンコ機１の制御用のプログラムが記憶されたらＲＯＭその他のチップ６２が設置され、副基板７０には、識別情報を記憶するＩＣタグからなるトランスポンダ７２が設置される。
【００２９】
具体的には、チップ６２は、主基板６０における背面側に取り付けられている。また、トランスポンダ７２は、図４に示すように、副基板６０における外側の面に、ソケット７０ａ及びモールドケース７０ｂを介して取り付けられる。よって、主基板６０の位置は、副基板７０から見て、トランスポンダ７２とは反対側となる。
【００３０】
制御用ボックス５は、図５に示すように、箱型に形成された透明な強化プラスチックで形成された箱部５２と、トランスポンダ７２の通信信号の周波数に比べ相対的に高い周波数の電波を遮断する透明な遮蔽材５４（例えば、フィルムに鉄分を含ませ、この鉄分が形どる模様によって、特定の周波数の電波だけを遮断するもの。）とで構成されている。この遮蔽材５４は、箱部５２の内側に積層されている。
＜３．パチンコ機本体＞
パチンコ機本体３は、図３に示すように、表側から、外部ガラス板３０、内部ガラス板３２、遊技盤３４、背面板３６が、所定間隔ずつ空けて配置されている。
【００３１】
このうち遊技盤３４は、この遊技盤３４の基礎となるベニア板３４ａが最も背面側に配置され、このベニア板３４ａの表側にセル板３４ｂが積層され、さらにこのセル板３４ｂの表側に透明な樹脂パネル３４ｃが積層されている。
【００３２】
背面板３６は、金属板で構成されており、制御用ボックス５が取り付けられたときに、副基板７０と対向する位置には、所定の大きさの通信孔３６ａが形成されている。そのため、パチンコ機１の表側からトランスポンダ７２と通信したときに、この通信孔３６ａを通して通信できる。
【００３３】
本実施形態では、トランスポンダ７２から、通信孔３６ａを通って最短距離でパチンコ機本体３内を通過してパチンコ機本体３の表側に至る部分が、トランスポンダ７２の無線通信信号の無線通信経路９として予め定められている。無線通信経路９は、図３に示すように、パチンコ機本体３の表側から、パチンコ機本体３を通り、且つ、制御用ボックス５に収納された主基板６０を通らずに、トランスポンダ７２に至るものであり、他に、金属板で構成された背面板３６や、図示しないパチンコ機本体３内に備えられたパチンコ機具備基板をも通らないものである。
【００３４】
そしてセル板３４ｂがこの無線通信経路９と交差する部分には、図１及び図３に示すように、そこが無線通信経路９であることを示すマークＭが表示されている。
＜４．トランスポンダ＞
本実施形態の図４に示すトランスポンダ７２は、ＲＦＩＤ（Ｒａｄｉｏ  Ｆｒｅｑｅｎｃｙ  ＩＤｅｎｔｉｆｉｃａｔｉｏｎ）を記憶するメモリとアンテナとを有するＩＣタグを備えるもので、本実施形態では、このＲＦＩＤを、制御用ボックス５が正当なものか否かを識別する識別情報として利用している。
【００３５】
このトランスポンダ７２は、より具体的には、送受信回路、制御回路、メモリ等からなる半導体とアンテナで構成されるもので、質問電波を受信した時これを電気エネルギーとして使用し、メモリに記憶されている識別情報を乗せた電波を応答電波として送信する。
【００３６】
本実施形態では、図３に示すように、パチンコ機本体３の表側からＩＣタグリーダで質問電波を送信すると、トランスポンダ７２から識別情報を乗せた電波が応答電波として送信されてくるので、この識別情報に基づいて、制御用ボックス５が正当なものか否かを判定することができる。
＜５．実施形態に係るパチンコ機の特徴＞
本実施形態のパチンコ機１は、パチンコ機本体３の表側から、パチンコ機本体３を通り、且つ、制御用ボックス５に収納された主基板６０、背面板３６、パチンコ機本体３内に備えられたパチンコ機具備基板を通らずに、トランスポンダ７２に至る無線通信経路９を有している。そのため、本実施形態のパチンコ機１では、パチンコ機本体３の背面に取り付けられた制御用ボックス５内のトランスポンダ７２と、パチンコ機本体３の表側から通信することができる。つまり、本実施形態のパチンコ機１では、パチンコ機本体３の背面に取り付けられた制御用ボックス５内のトランスポンダ７２から発信された識別情報を乗せた電波を、パチンコ機本体３を開けなくても、パチンコ機本体３の表側で受信することができる。
【００３７】
従って、本実施形態のパチンコ機１では、パチンコ機本体３の背面側から発信された、識別情報を乗せた電波をパチンコ機本体３の表側で受信できるので、ＲＯＭが不正交換されていないかを、パチンコ機本体３を開けなくても確認することができる。
【００３８】
また、本実施形態の制御用ボックス５は、透明部材で構成されている。
従って、本実施形態のパチンコ機１では、通信不良などでパチンコ機本体３の表側で識別情報を乗せた電波を受信できなくても、パチンコ機本体３を開ければ、制御用ボックス５内のトランスポンダ７２を目で直接確認することができる。また、ＩＣタグリーダをトランスポンダ７２に向ければ、識別信号を乗せた電波をトランスポンダ７２から直接（パチンコ機本体３を介さず）受信することもできる。
【００３９】
また、本実施形態の制御用ボックス５は、遮蔽材５４で覆われている。
この遮蔽材５４は、トランスポンダ７２との通信に必要な電波は通過させるが、トランスポンダ７２が送受信する電波に比べ周波数が高い携帯電話その他の高周波の電波は遮断する。
【００４０】
従って、本実施形態のパチンコ機１では、主基板６０上に配置された制御用のチップ６２が、高周波による誤作動を起こすことを防止できる。
さらに、本実施形態のパチンコ機１では、無線通信経路９をパチンコ機１の表側から分かりやすく表示するため、無線通信経路９と遊技盤３４の表側面との交点に、マークＭが設けられている。
【００４１】
そのため、本実施形態のパチンコ機１では、トランスポンダ７２と通信できる場所を探し回ることなく、トランスポンダ７２から簡単に識別情報を乗せた電波を、パチンコ機１の表側で受信することができる。
＜６．実施形態と発明特定事項との対応関係＞
パチンコ機１は本発明の遊技機に相当し、パチンコ機本体３は遊技機本体に相当する。
＜７．その他の実施形態＞
《７．１．制御用ボックス５》
上記実施形態では、制御用ボックス５を、全体が透明な材料で形成したが、トランスポンダ７２や、チップ６２を外部から視認できる位置だけ（すなわち一部だけ）が透明に形成されていてもよい。
《７．２．トランスポンダ７２》
上記実施形態では、主基板６０と副基板７０とをＬ字状に配置しているが、背面が傾斜しているパチンコ機１でこれを用いると、トランスポンダ７２とパチンコ機本体３０との間に副基板７０や主基板６０が位置してしまうことがある。
【００４２】
そのため、主基板６０と副基板７０とは、必ずしもＬ字状に配置されている必要はなく、それぞれのパチンコ機１に対して好ましい角度で、配置されていることが好ましい。この場合、好ましい角度とは、図６に示すように、制御用ボックス５をパチンコ機本体３に取り付けたときに、副基板７０がパチンコ機本体３の表側の面（外側ガラス板部３０のガラス面）に対して直交する角度であることが好ましい。
【００４３】
また、図７に示すように、副基板７０が、主基板６０とパチンコ機本体３の背面との間に配置されていてもよい。
さらに、図８に示すように、副基板７０を備えていないときは、トランスポンダ７２を主基板６０の周辺部に取り付けてもよい。
《７．３．背面板３６》
背面板３６の通信孔３６ａには、プラスチックその他の材料を嵌め込んでも良い。
《７．４．マークＭ》
上記実施形態では、無線通信経路９を示す手段としてマークを用いたが、図９に示すように、遊技盤３４の無線通信経路９が通過する部分３４ａａを透明な材料で形成してもよい。このようにすれば、パチンコ機１の表側からトランスポンダ７２の位置が分かるので、マークＭを付けた場合と、同様の効果を奏し、ＩＣタグリーダで簡単にトランスポンダ７２と通信することができる。
【００４４】
また、上記実施形態では、マークＭを遊技域３ａ内に配置したが、無線通信経路９が遊技機本体３を構成する前面枠を通る場合、前面枠にマークＭを設けてもよい。
さらに、上記実施形態では、パチンコ機について説明したが、制御用ボックスを背面側に備える遊技機であれば、どのようなものにも適用される。
【００４５】
本発明は、特許請求の範囲に記載された発明の趣旨に合致するものであればよく、上述の実施形態に限定されるものではない。
【図面の簡単な説明】
【００４６】
【図１】第１実施形態の説明図で、パチンコ機の遊技域部分の正面図である。
【図２】第１実施形態の説明図で、パチンコ機を島から開けた状態を表す平面図である。
【図３】第１実施形態の説明図で、図１のＡ−Ａ’断面図である。
【図４】第１実施形態の説明図で、図３の一点鎖線αで囲まれた部分の拡大図である。
【図５】第１実施形態の説明図で、図３の一点鎖線βで囲まれた部分の拡大図である。
【図６】他の実施形態の説明図で、図１のＡ−Ａ’断面と同じ位置の断面図である。
【図７】他の実施形態の説明図で、図１のＡ−Ａ’断面と同じ位置の断面図である。
【図８】他の実施形態の説明図で、図１のＡ−Ａ’断面と同じ位置の断面図である。
【図９】他の実施形態の説明図で、図１のＡ−Ａ’断面と同じ位置の断面図である。
【符号の説明】
【００４７】
１…パチンコ機    ３…パチンコ機本体    ３ａ…遊技域    ３ａａ…釘    ５…制御用ボックス    ７…島    ９…無線通信経路    ３０…外部ガラス板    ３２…内部ガラス板    ３４…遊技盤    ３４ａ…ベニア板    ３４ｂ…セル板    ３４ｃ…樹脂パネル    ３６…背面板    ３６ａ…通信孔    ５２…箱部    ５４…遮蔽材    ６０…主基板    ６２…チップ    ７０…副基板    ７０ａ…ソケット    ７０ｂ…モールドケース    ７２…トランスポンダ
【図１】
2008132017.tif 000003
【図２】
2008132017.tif 000004
【図３】
2008132017.tif 000005
【図４】
2008132017.tif 000006
【図５】
2008132017.tif 000007
【図６】
2008132017.tif 000008
【図７】
2008132017.tif 000009
【図８】
2008132017.tif 000010
【図９】
2008132017.tif 000011